(57)【要約】【課題】１人の電力需給契約者の電力被供給箇所と自ら設置した発電手段の設置箇所が離れている場合でも、電力会社に余剰電力を売電できるシステムを提供すること。【解決手段】電力会社商用電力系統と１人の電力需給契約者の自ら設置した発電手段の設置箇所の発電供給手段とを接続する接続手段で、発電電力を電力会社商用電力系統へ逆潮流させる。１人の電力需給契約者の電力被供給箇所の被供給電力量用電子電力積算計と自ら設置した発電設備の発電力量用電子電力積算計を通信手段を介して、保存装置、演算処理装置を用い、被供給電力量、積算被供給電力量、発電力量、積算発電力量、余剰電力量、積算余剰電力量、買電力量、積算買電力量を保存、算出することで、電力会社に余剰電力を売電する事が可能になる。又集合住宅の様に電力需給契約者が複数で発電設備が複数の場合にも対応可能で、集合住宅への太陽電池発電設備の導入が可能となる。【選択図】図５
2012023819.tif 000002
【特許請求の範囲】
【請求項１】
１人の電力需給契約者の電力会社商用電源系統から供給される自らの電力被供給箇所と自ら設置した１箇所の発電手段の設置箇所とが異なる電力需給システムであって、
発電手段と、発電手段で発電された発電力量を供給する発電力量供給手段と、
電力会社が電力を供給する電力供給手段と、
電力供給手段と発電力供給手段とを接続する接続手段と、
電力需給契約者を識別する識別子を送信する電力需給契約者識別子送信通信手段と、
電力需給契約者識別子送信通信手段で送信された電力需給契約者識別子を受信する電力需給契約者識別子受信通信手段と、
電力需給契約者識別子受信通信手段で受信した電力需給契約者識別子を保存する電力需給契約者識別子保存手段と、
システム共通時刻取得手段と、
商用電源系統から供給された被供給電力量を計測する被供給電力量計測手段と、
自ら設置した発電手段の発電量を計測する発電力量計測手段と、
１人の電力需給契約者の被供給電力量計測手段と発電力量計測手段とを同期させる計測手段同期手段と、
同期された被供給電力計測時刻と発電力量計測時刻とを送信する送信通信手段と、
送信された被供給電力計測時刻と発電力量計測時刻とを受信する受信通信手段と、
受信した被供給電力計測時刻と発電力計測時刻とを保存する保存手段と、
発電力量計測手段と同期された被供給電力量計測手段で計測された被供給電力量を送信する被供給電力量送信通信手段と、
被供給電力量送信通信手段で送信された被供給電力量を受信する被供給電力量受信通信手段と、
被供給電力量送信通信手段で受信された被供給電力量を保存する被供給電力量保存手段と、
被供給電力量受信通信手段で保存された被供給電力量を積算する積算被供給電力量算出手段と、
積算被供給電力量手段で算出された積算被供給電力量を保存する積算被供給電力量保存手段と、
被供給電力量計測手段と同期された発電力量計測手段で計測された発電力量を送信する発電力量送信通信手段と、
発電力量送信通信手段で送信された発電力量を受信する発電力量受信通信手段と、
発電力量受信通信手段で受信された発電力量を保存する発電力量保存手段と、
発電力量受信通信手段で保存した発電力量を積算する積算発電力量算出手段と、
積算発電力量算出手段で算出した積算発電力量を保存する積算発電力量保存手段とを有する事を特徴とする電力需給システム。
【請求項２】
前記発電手段設置箇所を２箇所以上とする電力需給システムであって、
前記発電手段設置箇所を識別する発電手段設置箇所識別子送信通信手段と、
発電手段設置箇所識別子送信通信手段で送信された発電手段設置箇所識別子を受信する発電手段設置箇所識別子受信通信手段と、
発電手段設置箇所識別子受信通信手段で受信した発電手段設置箇所識別子を保存する発電手段設置箇所識別子保存手段と、
前記発電力量保存手段で保存した発電力量から前記被供給電力量保存手段で保存した被供給電力量を減算した電力量が正又は零のとき余剰電力量として算出する余剰電力量算出手段と、
余剰電力量算出手段で算出された余剰電力量を保存する余剰電力量保存手段と、
余剰電力量保存手段で保存された余剰電力量を積算する積算余剰電力量算出手段と、
積算余剰電力量を保存する積算余剰電力量保存手段と、
発電力量保存手段で保存した発電力量から被供給電力量保存手段で保存した被供給電力量を減算した電力量が負のとき買電力量を算出する買電力量算出手段と、
買電力量算出手段で算出された買電力量を保存する買電力量保存手段と、
買電力量を積算する積算買電力量算出手段と、
積算買電力量を保存する積算買電力量保存手段を有する事を特徴とする電力需給システム。
【請求項３】
前記電力被供給箇所を２箇所以上とする電力需給システムであって、
前記電力被供給箇所を識別する電力被供給箇所識別子送信通信手段と、
電力被供給箇所識別子送信通信手段で送信された電力被供給箇所識別子を受信する電力被供給箇所識別子受信通信手段と、
電力被供給箇所識別子受信通信手段で受信した電力被供給箇所識別子を保存する電力被供給箇所識別子保存手段とを有する請求項１又は２の電力需給システム。
【請求項４】
前記１人の電力需給契約者を２人以上とし前記電力需給システム共通時刻取得手段をＧＰＳ又はＮＴＰ受信装置とする請求項１〜３いずれかの電力需給システム。
【請求項５】
前記通信手段を有線通信又は無線通信手段とする電力需給システムであって、
通信手段を光ファイバー通信手段又は電力線通信手段又は無線ラン通信手段又は携帯電話通信手段又はＰＨＳ通信手段とする事を特徴とする請求項１〜４いずれかの電力需給システム。
【請求項６】
前記被供給電力量、前記積算被供給電力量、前記発電力量、前記積算発電力量、前記余剰電力量、前記積算余剰電力量、前記買電力量、前記積算買電力量のいずれかを選択する選択手段と、表示する表示手段を有する請求項１〜５いずれかの電力需給システム。
【請求項７】
前記被供給電力量計測手段と前記被供給電力量送受信通信手段と前記同期手段とを通信手段及び算出手段付き電子電力積算計にし、前記発電力量計測手段と前記発電力量送受信機能同期手段とを通信手段付き算出手段付き電子電力積算計にする請求項１〜６いずれかの電力需給システム。
【請求項８】
前記被供給電力量計測手段と、前記同期手段と、前記被供給電力量送受信手段と、前記発電力計測手段と、前記同期手段と、前記発電力量送受信通信手段とを有する事を特徴とする電子電力積算計。
【請求項９】
前記発電手段を太陽光発電手段又は風力発電手段又は、太陽光発電手段と風力発電手段以外の発電手段とする請求項１〜８いずれかの電力需給システム。
【請求項１０】
前記電力需給契約者毎の電力需給契約者識別子受信手段と電力需給契約者識別子保存手段と、
電力需給契約者毎の電力被供給箇所を識別する電力被供給箇所識別子受信通信手段と、
電力需給契約者毎の電力被供給箇所識別子受信通信手段で受信した電力需給契約者毎の電力被供給箇所識別子を保存する電力被供給箇所識別子保存手段と、
電力需給契約者毎の発電手段設置箇所を識別する発電手段設置箇所識別子受信通信手段と、
電力需給契約者毎の発電手段設置箇所識別子を保存する発電手段設置箇所識別子保存手段と、
電力需給契約者毎の被供給電力設置箇所毎の被供給電力量と発電設置箇所毎の発電力量とを受信する受信通信手段と、
電力需給契約者毎の被供給電力量と発電力量を保存する保存手段と、
電力需給契約者毎の積算被供給電力量と積算発電力量とを算出する算出手段と、
電力需給契約者毎の積算被供給電力量と積算発電力量を保存する保存手段と、
電力需給契約者毎の被供給電力量手段と発電量計測手段を同期させる同期指示手段を有する電力需給システム一括管理システム。
【請求項１１】
前記電力需給契約者毎の電力需給契約者識別子受信手段と電力需給契約者識別子保存手段と、
電力需給契約者毎の電力被供給箇所を識別する電力被供給箇所識別子受信通信手段と、
電力需給契約者毎の電力被供給箇所識別子受信通信手段で受信した電力需給契約者毎の電力被供給箇所識別子を保存する電力被供給箇所識別子保存手段と、
電力需給契約者毎の発電手段設置箇所を識別する発電手段設置箇所識別子受信通信手段と、
電力需給契約者毎の発電手段設置箇所識別子を保存する発電手段設置箇所識別子保存手段と、
電力需給契約者毎の被供給電力設置箇所毎の被供給電力量と発電設置箇所毎の発電力量とを受信する受信通信手段と、
電力需給契約者毎の被供給電力量と発電力量を保存する保存手段と、
電力需給契約者毎の積算被供給電力量と積算発電力量とを算出する算出手段と、
電力需給契約者毎の積算被供給電力量と積算発電力量を保存する保存手段と、
電力需給契約者毎の被供給電力量手段と発電量計測手段を同期させる同期指示手段を有する請求項１〜１０の需給システム。
【請求項１２】
前記電力需給契約者の商用電源系統から供給される自らの電力被供給箇所を集合住宅又は複合商業施設又はオフィスビルの１専有部分とし、前記自らの発電手段の設置箇所を自ら居住する集合住宅又は複合商業施設又はオフィスビルの共用部分または、集合住宅又は複合商業施設又はオフィスビル以外の設置箇所とする請求項１〜１１のいずれかの電力需給システム。
【請求項１３】
前記２人以上の電力需給契約者が設置する２以上の発電力供給手段を集線する発電力供給手段集線手段と、発電力供給手段集線手段で集線された発電力供給手段集線手段と、電力供給手段とを接続する手段を有する１〜１２のいずれかの電力需給システム。
【請求項１４】
前記２人以上の電力需給契約者が設置する２以上の発電力供給手段を集線する発電力供給手段集線手段と、発電力供給手段集線手段で集線された発電力供給手段を、電力供給手段とを接続する方法を特徴とする請求項１〜１３の接続方法。
【請求項１５】
請求項１〜１４いずれかの電力需給システムを有する事を特徴とする集合住宅、又は複合商業施設、又はオフィスビル。
【発明の詳細な説明】
【技術分野】
【０００１】本発明は太陽電池等の自然エネルギー発電設備を電力会社の商用電源と系統連系する場合に１人の電力需給契約者の電力被供給所と自然エネルギー発電設備装置箇所が異なる場合に、電力会社の系統と通信回線を介して同一場所と同じ効果を生じる電力需給システムに関するものである。
【背景技術】
【０００２】近年、地球環境の保全の観点から、太陽光を利用した発電システムの開発が進められいる。一戸建て住宅の屋根等に太陽電池パネルを設置して発電した電力を住宅内で優的に使用して余剰となった電力を電力会社に売電するシステムが実用化されている。
しかし、集合住宅への太陽光発電設備の導入はほとんどされていない。
【先行技術文献】
【特許文献】
【０００３】
【特許文献１】特開２００５−２９５６７０号公報
【特許文献２】特開２００４−０１２３７６号公報
【非特許文献】
【０００４】
【非特許文献１】福井エドワード著  スマートグリッド入門  次世代エネルギービジネス
【発明の概要】
【発明が解決しようとする課題】
【０００５】アパート、マンションなどの集合住宅、オフィスビル、複合商業施設においても、個々の入居者が太陽光発電設備等の自然エネルギー発電設備を屋上等の共有スペースに設置し、自らの消費電力は自らの発電電力から優先的に使用して余剰電力を電力会社に売電する一戸建てと同じシステムが望まれている。
本発明は、この課題を被供給電力箇所と発電箇所を電力会社回線と通信回線を介して接続することにより解決する電力需給システムを提供することにある。
【課題を解決するための手段】
【０００６】本目的を達成する為の電力需給システムは１人の電力需給契約者の電力会社商用電源系統から供給される自らの電力被供給箇所と自ら設置した１箇所の発電手段の設置箇所とが異なる電力需給システムであって、
発電手段と、発電手段で発電された発電力量を供給する発電力量供給手段と、
電力会社が電力を供給する電力供給手段と、
電力供給手段と発電力供給手段とを接続する接続手段と、
電力需給契約者を識別する識別子を送信する電力需給契約者識別子送信通信手段と、
電力需給契約者識別子送信通信手段で送信された電力需給契約者識別子を受信する電力需給契約者識別子受信通信手段と、
電力需給契約者識別子受信通信手段で受信した電力需給契約者識別子を保存する電力需給契約者識別子保存手段と、
システム共通時刻取得手段と、
商用電源系統から供給された被供給電力量を計測する被供給電力量計測手段と、
自ら設置した発電手段の発電量を計測する発電力量計測手段と、
１人の電力需給契約者の被供給電力量計測手段と発電力量計測手段とを同期させる計測手段同期手段と、
同期された被供給電力計測時刻と発電力量計測時刻とを送信する送信通信手段と、
送信された被供給電力計測時刻と発電力量計測時刻とを受信する受信通信手段と、
受信した被供給電力計測時刻と発電力計測時刻とを保存する保存手段と、
発電力量計測手段と同期された被供給電力量計測手段で計測された被供給電力量を送信する被供給電力量送信通信手段と、
被供給電力量送信通信手段で送信された被供給電力量を受信する被供給電力量受信通信手段と、
被供給電力量送信通信手段で受信された被供給電力量を保存する被供給電力量保存手段と、
被供給電力量受信通信手段で保存された被供給電力量を積算する積算被供給電力量算出手段と、
積算被供給電力量手段で算出された積算被供給電力量を保存する積算被供給電力量保存手段と、
被供給電力量計測手段と同期された発電力量計測手段で計測された発電力量を送信する発電力量送信通信手段と、
発電力量送信通信手段で送信された発電力量を受信する発電力量受信通信手段と、
発電力量受信通信手段で受信された発電力量を保存する発電力量保存手段と、
発電力量受信通信手段で保存した発電力量を積算する積算発電力量算出手段と、
積算発電力量算出手段で算出した積算発電力量を保存する積算発電力量保存手段とを有する事を特徴とするものである。【０００７】また、前記発電手段設置箇所を２箇所以上とする電力需給システムであって、
前記発電手段設置箇所を識別する発電手段設置箇所識別子送信通信手段と、
発電手段設置箇所識別子送信通信手段で送信された発電手段設置箇所識別子を受信する発電手段設置箇所識別子受信通信手段と、
発電手段設置箇所識別子受信通信手段で受信した発電手段設置箇所識別子を保存する発電手段設置箇所識別子保存手段と、
前記発電力量保存手段で保存した発電力量から前記被供給電力量保存手段で保存した被供給電力量を減算した電力量が正又は零のとき余剰電力量として算出する余剰電力量算出手段と、
余剰電力量算出手段で算出された余剰電力量を保存する余剰電力量保存手段と、
余剰電力量保存手段で保存された余剰電力量を積算する積算余剰電力量算出手段と、
積算余剰電力量を保存する積算余剰電力量保存手段と、
発電力量保存手段で保存した発電力量から被供給電力量保存手段で保存した被供給電力量を減算した電力量が負のとき買電力量を算出する買電力量算出手段と、
買電力量算出手段で算出された買電力量を保存する買電力量保存手段と、
買電力量を積算する積算買電力量算出手段と、
積算買電力量を保存する積算買電力量保存手段を有する事を特徴とするものである。【０００８】また、前記電力被供給箇所を２箇所以上とする電力需給システムであって、
前記電力被供給箇所を識別する電力被供給箇所識別子送信通信手段と、
電力被供給箇所識別子送信通信手段で送信された電力被供給箇所識別子を受信する電力被供給箇所識別子受信通信手段と、
電力被供給箇所識別子受信通信手段で受信した電力被供給箇所識別子を保存する電力被供給箇所識別子保存手段とを有する電力需給システムである。【０００９】また、前記１人の電力需給契約者を２人以上とする電力需給システムであって前記システム共通時刻取得手段をＧＰＳ又はＮＴＰ受信装置とするものである。【００１０】また、前記通信手段を有線通信又は無線通信手段とする電力需給システムであって、
通信手段を光ファイバー通信手段又は電力線通信手段又は無線ＬＡＮ通信手段又は携帯電話通信手段又はＰＨＳ通信手段とする事を特徴とする電力需給システムである。【００１１】また、前記被供給電力量、前記積算被供給電力量、前記発電力量、前記積算発電力量、前記余剰電力量、前記積算余剰電力量、前記買電力量、前記積算買電力量のいずれかを選択する選択手段と、表示する表示手段を有する電力需給システムである。【００１２】また、前記被供給電力量計測手段と前記被供給電力量送受信通信手段と前記同期手段とを通信手段及び算出手段付き電子電力積算計にし、前記発電力量計測手段と前記発電力量送受信機能同期手段とを通信手段及び算出手段付き電子電力積算計にする電力需給システムある。【００１３】また、前記被供給電力量計測手段と、前記同期手段と、前記被供給電力量送受信手段と、前記発電力計測手段と、前記同期手段と、前記発電力量送受信通信手段とを有する事を特徴とする電子電力積算計である。【００１４】また、前記発電手段を太陽光発電手段又は風力発電手段又は、太陽光発電手段と風力発電手段以外の発電手段とするも電力需給システムである。【００１５】また、前記電力需給契約者毎の電力需給契約者識別子受信手段と電力需給契約者識別子保存手段と、
電力需給契約者毎の電力被供給箇所を識別する電力被供給箇所識別子受信通信手段と、
電力需給契約者毎の電力被供給箇所識別子受信通信手段で受信した電力需給契約者毎の電力被供給箇所識別子を保存する電力被供給箇所識別子保存手段と、
電力需給契約者毎の発電手段設置箇所を識別する発電手段設置箇所識別子受信通信手段と、
電力需給契約者毎の発電手段設置箇所識別子を保存する発電手段設置箇所識別子保存手段と、
電力需給契約者毎の被供給電力設置箇所毎の被供給電力量と発電設置箇所毎の発電力量とを受信する受信通信手段と、
電力需給契約者毎の被供給電力量と発電力量を保存する保存手段と、
電力需給契約者毎の積算被供給電力量と積算発電力量とを算出する算出手段と、
電力需給契約者毎の積算被供給電力量と積算発電力量を保存する保存手段と、
電力需給契約者毎の被供給電力量手段と発電量計測手段を同期させる同期指示手段を有する電力需給システム一括管理システムである。【００１６】また、前記電力需給契約者毎の電力需給契約者識別子受信手段と電力需給契約者識別子保存手段と、
電力需給契約者毎の電力被供給箇所を識別する電力被供給箇所識別子受信通信手段と、
電力需給契約者毎の電力被供給箇所識別子受信通信手段で受信した電力需給契約者毎の電力被供給箇所識別子を保存する電力被供給箇所識別子保存手段と、
電力需給契約者毎の発電手段設置箇所を識別する発電手段設置箇所識別子受信通信手段と、
電力需給契約者毎の発電手段設置箇所識別子を保存する発電手段設置箇所識別子保存手段と、
電力需給契約者毎の被供給電力設置箇所毎の被供給電力量と発電設置箇所毎の発電力量とを受信する受信通信手段と、
電力需給契約者毎の被供給電力量と発電力量を保存する保存手段と、
電力需給契約者毎の積算被供給電力量と積算発電力量とを算出する算出手段と、
電力需給契約者毎の積算被供給電力量と積算発電力量を保存する保存手段と、
電力需給契約者毎の被供給電力量手段と発電量計測手段を同期させる同期指示手段を有する電力需給システムである。【００１７】また、前記電力需給契約者の商用電源系統から供給される自らの電力被供給箇所を集合住宅又は複合商業施設又はオフィスビルの１専有部分とし、前記自らの発電手段の設置箇所を自ら居住する集合住宅又は複合商業施設又はオフィスビルの共用部分または、集合住宅又は複合商業施設又はオフィスビル以外の設置箇所とする電力需給システムである。【００１８】また、前記２人以上の電力需給契約者が設置する２以上の発電力供給手段を集線する発電力供給手段集線手段と、発電力供給手段集線手段で集線された発電力供給手段集線手段と、電力供給手段とを接続する手段を有する電力需給システムである。【００１９】また、前記２人以上の電力需給契約者が設置する２以上の発電力供給手段を集線する発電力供給手段集線手段と、発電力供給手段集線手段で集線された発電力供給手段を、電力供給手段とを接続する方法を特徴とするものである。【００２０】また、前記の電力需給システムを有する事を特徴とする集合住宅又は複合商業施設又はオフィスビルである。
【発明の効果】
【００２１】以上説明したように、本発明に係るアパート、マンション等の集合住宅、オフィスビル、複合施設における電力需給システムによれば、太陽電池等の自然エネルギー発電設備で得られた電力を、自らの消費電力は自らの発電電力から優先的に使用し、余剰電力を電力会社に売電する一戸建てと同じシステムが可能になる。
【発明を実施するための形態】
【００２２】以下に、この発明における実施の形態を図面を参照して説明する。
【００２３】図１において、５は１人の電力需給契約者の設置するソーラーパネルであり、太陽光を受けて直流電力を発生する。
１は接続箱である。２はパワーコンディショナーであり、系統との連系保護機能を有している。
３は発電力量用電子電力積算計であり、太陽光発電力量を計測し積算する。
１６は電力会社管理電力系統である。５の太陽光発電電力を１６に逆潮流させる。
１２は被供給電力量用電子電力積算計であり、１０の電力ケーブルを介し、１３の電力被供給箇所で消費された電力を計測し積算する。
１９はＮＴＰ受信装置であり、システムの共通時刻を取得する。３及び１２内の制御装置ＣＰＵで発電力量計測時刻と被供給電力量計測時刻の同期を取る。
３及び１２で計測された発電力量、被供給電力量を２０の通信回線を用い、４の通信装置に送り、１７の光ケーブルを介して８の保存装置に接続し、被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、１７、４、２０を介して１１のモニターで被供給電力量、積算被供給電力量、発電力量、積算発電力量、余剰電力量、積算余剰電力量、買電力量、積算買電力量のいずれかを選択し表示する。
【００２４】図２において、５ａ−１と５ａ−２は１人の電力需給契約者の設置する２台のソーラーパネルであり、太陽光を受けて直流電力を発生する。
１ａ−１と１ａ−２は接続箱である。２ａ−１と２ａ−２はパワーコンディショナーであり、系統との連系保護機能を有している。
３ａ−１と３ａ−２は発電力量用電子電力積算計であり、太陽光発電力量を計測する。
１６は電力会社管理電力系統である。５ａ−１と５ａ−２の太陽光発電電力を１６に逆潮流させる。１２は被供給電力量用電子電力積算計であり、１０の電力ケーブルを介し、１３の電力被供給箇所で消費された電力を計測し積算する。
１８はＧＰＳであり、システムの共通時刻を取得する。３ａ−１と３ａ−２及び１２内の制御装置ＣＰＵで発電力量計測時刻と被供給電力量計測時刻の同期を取る。
３ａ−１及び１２で計測された発電力量、被供給電力量を２０の通信回線を用い、４ａと４ａ−１の通信装置に送り、１７の光ケーブルを介して８の保存装置に接続する。
３ａ−２で計測された発電力量を２０の通信回線を用い、４ａ−２の通信装置、２４のデーター端末、２３の無線通信を介して８の保存装置に接続する。接続された８で被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、１７、４ａ、２０を介して１１のモニターで被供給電力量、積算被供給電力量、発電力量、積算発電力量、余剰電力量、積算余剰電力量、買電力量、積算買電力量のいずれかを選択し表示する。
【００２５】図３において、５ａ−１と５ａ−２は１人の電力需給契約者ユーザーＡの設置する風力発電設備とソーラーパネルである。風力、太陽光を受けて直流電力を発生する。５ｂはもう１人の電力需給契約者ユーザーＢの設置するソーラーパネルである。
１ａ−１と１ａ−２と１ｂは接続箱である。２ａ−１と２ａ−２と２ｂはパワーコンディショナーであり、系統との連系保護機能を有している。
３ａ−１と３ａ−２と３ｂは発電力量用電子電力積算計であり、３ａ−１は風力発電力量、３ａ−２と３ｂは太陽光発電力量を計測する。
１６は電力会社管理電力系統である。５ａ−１と５ａ−２の風力発電・ソーラーパネルの太陽光発電、５ｂの太陽光発電の発電電力を１６に逆潮流させる。
１３ａは電力被供給箇所ユーザーＡで１２ａは被供給電力量用電子電力積算計であり、１３ｂは電力被供給箇所ユーザーＢで１２ｂは被供給電力量用電子電力積算計である。
１２ａと１２ｂは１０の電力ケーブルを介し、１３ａと１３ｂで消費された電力を計測し積算する。
１８はＧＰＳであり、システムの共通時刻を取得する。１人の電力需給契約者ユーザーＡの３ａ−１と３ａ−２及び１２ａ内の制御装置ＣＰＵで発電力量計測時刻と被供給電力量計測時刻の同期を取る。
もう１人の電力需給契約者ユーザーＢの３ｂ及び１２ｂ内の制御装置ＣＰＵで発電力量計測時刻と被供給電力量計測時刻の同期を取る。
１人の電力需給契約者ユーザーＡの３ａ−１と３ａ−２及び１２ａで計測された発電力量、被供給電力量を４ａと４ａ−１と４ａ−２の通信装置と１７の光ケーブルを介して４の通信装置から８の保存装置に接続し、被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、４、１７、４ａ、２０の通信装置、通信回線を介して１１ａのモニターで被供給電力量、積算被供給電力量、発電力量、積算発電力量、余剰電力量、積算余剰電力量、買電力量、積算買電力量のいずれかを選択し表示する。
もう１人の電力需給契約者ユーザーＢの３ｂで計測された発電力量を４ｂの通信装置と１７及び４を介して８に接続される。
１２ｂで計測された被供給電力量を２０の通信回線を用いて、４ｂ及び１７、４を介して８に接続し、被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、４、１７、４ｂ及び２０を介して１１ｂのモニターで被供給電力量、積算被供給電力量、発電力量、積算発電力量、余剰電力量、積算余剰電力量、買電力量、積算買電力量のいずれかを選択し表示する。
【００２６】図４において、５ａ〜５ｅは１人の電力需給契約者Ａ〜Ｅの設置するソーラーパネルである。１ａ〜１ｅは接続箱である。２ａ〜２ｅはパワーコンディショナーであり、系統との連系保護機能を有している。
３ａ〜３ｅは発電力量用電子電力積算計であり、太陽光発電力量を計測する。
６は電線集線箱であり、３ａ〜３ｅから出た発電電力線を集線する。集線された発電電力線は建物外壁に設置された２１の電源ルートで１４の引込盤に接続し、太陽光発電電力を１６の電力会社管理電力系統に逆潮流させる。
１６から、１４を介して、１人の電力需給契約者２人以上Ａ〜Ｅに電力を供給する。１２ａ〜１２ｅは被供給電力量用電子電力積算計であり、１３ａ〜１３ｅの各電力被供給箇所で消費された電力を計測し積算する。
１８はＧＰＳであり、システムの共通時刻を取得する。３ａ〜３ｅ及び１２ａ〜１２ｅ内の制御装置ＣＰＵで発電力量計測時刻と被供給電力量計測時刻の同期を取る。
３ａ〜３ｅで計測された発電力量を４ａ〜４ｅの通信装置を介して、７−１の通信集線装置で集線される。集線された通信回線は建物外壁に設置された２２の通信ルートを通り、７−２に接続する。１２ａ〜１２ｅで計測された被供給電力量を４ａ〜４ｅの通信装置を介して、建物内設置の２２の通信ルートを通り７−２の通信集線装置で集線される７−１と７−２で集線された通信回線を１７の光ケーブルに接続する。１７から４を介して８の保存装置に接続し、被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、４、１７、４ａ〜４ｅを介して１１ａ〜１１ｅのモニターで被供給電力量、積算被供給電力量、発電力量、積算発電力量、余剰電力量、積算余剰電力量、買電力量、積算買電力量のいずれかを選択し表示する。
【００２７】図５において、５ａ〜５ｅは１人の電力需給契約者Ａ〜Ｅの設置するソーラーパネルである。１ａ〜１ｅは接続箱である。２ａ〜２ｅはパワーコンディショナーであり、系統との連系保護機能を有している。
３ａ〜３ｅは発電力量用電子電力積算計であり、太陽光発電力量を計測する。
６は電線集線箱であり、３ａ〜３ｅから出た発電電力線を集線する。集線された発電電力線は建物内に設置された２１の電源ルートで１４の引込盤に接続し、太陽光発電電力を１６の電力会社管理電力系統に逆潮流させる。
１６から、１４を介して、１人の電力需給契約者２人以上Ａ〜Ｅに電力を供給する。１２ａ〜１２ｅは被供給電力量用電子電力積算計であり、１３ａ〜１３ｅの各電力被供給箇所で消費された電力を計測し積算する。
１９はＮＴＰ受信装置であり、システムの共通時刻を取得する。３ａ〜３ｅ及び１２ａ〜１２ｅ内の制御装置ＣＰＵで発電力量計測時刻と被供給電力量計測時刻の同期を取る。
１８ａ〜１８ｅで計測された発電力量を２３ａ〜２３ｅの無線通信を介して７−１の通信集線装置で集線される。集線された通信回線は建物内に設置された２２の通信ルートを通り、７−２の通信集線装置に接続する。
１９ａ〜１９ｅで計測された被供給電力量を２３ａ〜２３ｅを介して、建物内設置の２２の通信ルートを通り７−２で集線される７−１と７−２で集線された通信回線を１７の光ケーブルに接続する。
１７から４を介して８の保存装置に接続し、被供給電力量、積算被供給電力量、発電力量、積算発電力量、余剰電力量、積算余剰電力量、買電力量、積算買電力量を保存する。
９の演算処理装置で被供給電力量、積算被供給電力量、発電力量、積算発電力量、余剰電力量、積算余剰電力量、買電力量、積算買電力量を算出する。
８のデーターを９で処理し、４、１７、２３ａ〜２３ｅ、４ａ〜４ｅを介して１１ａ〜１１ｅのモニターで被供給電力量、積算被供給電力量、発電力量、積算発電力量、余剰電力量、積算余剰電力量、買電力量、積算買電力量のいずれかを選択し表示する。
【図面の簡単な説明】
【００２８】
【図１】一戸建て住宅における電力需給システムで、１人の電力需給契約者の電力被供給箇所が１箇所と自ら設置した発電手段の設置箇所１箇所が離れて設置され、保存装置と演算処理装置が外部に設置している場合の概略図である。
【図２】一戸建て住宅における発電手段設置箇所が２以上とする電力需給システムで、１人の電力需給契約者の電力被供給箇所が１箇所と自ら設置した発電手段の設置箇所２箇所が離れて設置され、保存装置と演算処理装置が外部に設置している場合の概略図である。
【図３】一戸建て住宅における電力需給契約者を２人以上とする電力需給システムで、１人の電力需給契約者の電力被供給箇所が１箇所と自ら設置した発電手段の設置箇所２箇所が離れて設置され、保存装置と演算処理装置が外部に設置している場合と、もう１人の電力需給契約者の電力被供給箇所が１箇所と自ら設置した発電手段の設置箇所１箇所が離れて設置され、保存装置と演算処理装置が外部に設置している場合の概略図である。
【図４】集合住宅における電力需給システムで、２人以上の電力需給契約者が設置する２以上の発電供給手段を集線し、電力供給手段とを接続する手段を有し、電源ルートと通信ルートが建物外壁に設置している場合の概略図である。
【図５】集合住宅における電力需給システムで、２人以上の電力需給契約者が設置する２以上の発電供給手段を集線し、電力供給手段とを接続する手段を有し、電源ルートと通信ルートが建物内に設置している場合の概略図である。
【符号の説明】
【００２９】１ａ〜１ｅ      接続箱
２ａ〜２ｅ      パワーコンディショナー
３ａ〜３ｅ      発電力量用電子電力積算計
４ａ〜４ｅ      通信装置
５ａ〜５ｅ      電力需要契約者設置ソーラーパネル
６              電線集線箱
７−１〜７−２  通信集線装置
８ａ〜８ｂ      保存装置
９ａ〜９ｂ      演算処理装置
１０            電源ケーブル
１１ａ〜１１ｅ  モニター
１２ａ〜１２ｅ  被供給電力量用電子電力積算計
１３ａ〜１３ｅ  電力被供給箇所
１４            引込盤
１５            受変電設備
１６            電力会社管理電力系統
１７            光ケーブル
１８            ＧＰＳアンテナ
１９            ＮＴＰ受信装置
２０ａ〜２０ｅ  通信回線
２１            電源ルート
２２            通信ルート
２３            無線通信
２４            データー端末
Ａ〜Ｅ          電力需給契約者
Ｈ１〜Ｈ３      発電設備
【図１】
2012023819.tif 000003
【図２】
2012023819.tif 000004
【図３】
2012023819.tif 000005
【図４】
2012023819.tif 000006
【図５】
2012023819.tif 000007